(57)【要約】光ＷＤＭ通信用の同報選択リングネットワークは、ノード間（３；Ａ，Ｂ，Ｃ，Ｄ）で反対方向にトラフィックを搬送する２つの平行ファイバーリング（１ａ、１ｂ）を含んでいる。そのノードは、その受信側に、各ノードにおいて受信されることになる波長チャネルの柔軟な選択を可能にするクロスコネクトデバイス（２１）或いは類似の手段のような選択手段を有している。これにより、リングにおけるいずれかのＷＤＭチャネルは、そのノードで選択され受信される。例えば、全てのノードは同じチャネルで、例えば、セットアップや再構成の目的で信号を受信できる。さらにその上、ノードの受信機の数は少なくできるが、依然として全てのチャネルが受信できる。各ノードの送信機の数もまた少なくできる。なぜなら、各送信機が各受信機に到達するからである。
2004535135.tif 000002
【特許請求の範囲】
【請求項１】
光信号を搬送する少なくとも１つのファイバーリングパスと、
前記少なくとも１つのリングパスに接続され、別個の複数の波長チャネルにおいて夫々、情報を搬送する光信号を送信したり受信したりするために構成された送信側と受信側とを有した複数のノードと、
前記複数のノードに含まれる複数の受信ユニットとを有した柔軟な接続のための光学的ＷＤＭネットワークであって、
前記複数のノードの内、少なくとも１つは、
前記少なくとも１つのファイバーリングパスを伝播する信号電力の一部を取り出す、前記少なくとも１つのリングパスに接続された光電力スプリッタと、
前記光電力スプリッタから前記取り出された部分を受信するために接続され、前記取り出された部分に含まれる複数の波長チャネルの複数の信号を互いに分離するディマルチプレクサと、
前記ディマルチプレクサからの前記複数の波長チャネルの分離された信号を受信するために接続され、前記複数のノードの内の少なくとも１つのノードの複数の受信ユニットに接続され、前記複数の波長チャネルの内の選択されたチャネルの信号を前記複数の受信ユニットに切り替えて、前記複数のノードの内の少なくとも１つのノードの複数の受信ユニット各々が前記複数の波長チャネルの全ての内のいずれか１つの信号を受信するために選択される選択手段とを有することを特徴とする光学的ＷＤＭネットワーク。
【請求項２】
前記複数のノードの内の少なくとも１つのノードの前記選択手段は、光学的クロスコネクトユニットを有することを特徴とする請求項１に記載の光学的ＷＤＭネットワーク。
【請求項３】
前記複数のノードは反対方向に信号を搬送する２つの平行なファイバーリングパスに接続され、
前記複数のノードの内の少なくとも１つのノードは２つのディマルチプレクサを有し、
１つのディマルチプレクサは、前記２つの平行なファイバーリングパスの夫々に対するものであり、
前記複数のノードの内の少なくとも１つのノードの前記選択手段は、前記２つのディマルチプレクサからの信号を受信するのに接続された単一の光学的クロスコネクトユニットを有していることを特徴とする請求項１に記載の光学的ＷＤＭネットワーク。
【請求項４】
反対方向に信号を搬送する第１のファイバーリングパスと第２のファイバーリングパスからなる２つの平行なファイバーリングパスをさらに有することを特徴とする請求項１に記載の光学的ＷＤＭネットワーク。
【請求項５】
前記複数のノードの内の少なくとも１つのノードはさらに、
２つの平行なファイバーリングパスにおいて接続される複数の光電力スプリッタと、
前記複数の光電力スプリッタから前記取り出された部分を受信するために接続されたディマルチプレクサとを有し、
第１のファイバーリングパスには前記複数の光電力スプリッタの内の１つが接続され、第２のファイバーリングパスには前記複数の光電力スプリッタの内の別のものが接続され、前記複数の光電力スプリッタ各々は前記２つの平行なファイバーリングパス夫々において伝播する信号電力の一部を取り出し、
前記ディマルチプレクサは前記取り出された部分からなる複数の波長チャネルの信号を互いに分離して、前記選択手段に前記分離信号を提供することを特徴とする請求項４に記載の光学的ＷＤＭネットワーク。
【請求項６】
前記選択手段は、前記ディマルチプレクサからの分離信号を受信するために接続された単一の光学的クロスコネクトユニットを有することを特徴とする請求項５に記載の光学的ＷＤＭネットワーク。
【請求項７】
前記複数のノードの内の少なくとも１つのノードはさらに、前記ディマルチプレクサからの信号を受信するために接続された複数の光スイッチを有し、
前記複数の光スイッチ各々の第１の入力端は、前記第１のファイバーリングパスから来る信号を受信するために接続され、
前記複数の光スイッチ各々の第２の入力端は、前記第２のファイバーリングパスから来る信号を受信するために接続され、
前記複数の光スイッチ各々は、前記２つの入力端の内の１つからの信号を、前記複数のノードの内の少なくとも１つのノードの前記複数の受信ユニットの１つに接続された単一の出力端に転送することを特徴とする請求項５に記載の光学的ＷＤＭネットワーク。
【請求項８】
前記複数のノードの内の少なくとも１つのノードの前記複数の受信ユニットの内の少なくとも１つはさらに、前記ディマルチプレクサからの信号を受信するために接続された２つの受信機要素を有し、
第１の受信機要素は前記第１のファイバーリングパスから来る信号を受信するために接続され、
第２の受信機要素は前記第２のファイバーリングパスから来る信号を受信するために接続され、
前記複数の受信ユニットの内の少なくとも１つの前記受信機要素は互いに接続されて、前記２つの受信機要素の内の１つだけが一度にアクティブであり、前記ディマルチプレクサからの信号を受信することを特徴とする請求項５に記載の光学的ＷＤＭネットワーク。
【請求項９】
前記複数のノードの内の少なくとも１つのノードの前記選択手段は、光電力スプリッタと、複数のチューニング可能なバンドパスフィルタとを有し、
前記光電力スプリッタは入力信号電力を数多くの実質的に等しい小部分に分け、
各部分が、前記複数のノードの内の少なくとも１つのノードの前記複数の受信ユニットに接続された複数の出力端をもつ前記複数のチューニング可能なバンドパスフィルタの１つにフィードされることを特徴とする請求項１に記載の光学的ＷＤＭネットワーク。
【請求項１０】
前記複数のノードの内の少なくとも１つのノードの前記選択手段は、互いに直列接続された複数のチューニング可能なバンドパスフィルタを有し、
前記複数のチューニング可能なバンドパスフィルタは、前記複数のノードの内の少なくとも１つのノードの前記複数の受信ユニットに接続された複数の出力端をもつことを特徴とする請求項１に記載の光学的ＷＤＭネットワーク。
【請求項１１】
前記複数のノードの内の少なくとも１つのノードは前記複数のノードの内の少なくとも１つのノードの前記光電力スプリッタの出力端から伸長した光ファイバーラインを有し、
前記複数のチューニング可能なバンドパスフィルタは、前記光ファイバーラインにおいて互いに直列に接続されることを特徴とする請求項１０に記載の光学的ＷＤＭネットワーク。
【請求項１２】
前記複数のチューニング可能なバンドパスフィルタは、前記少なくとも１つのファイバーリングパスにおいて接続されることを特徴とする請求項１０に記載の光学的ＷＤＭネットワーク。
【請求項１３】
前記複数のノードの内の少なくとも１つのノードはさらに、前記複数のノードの内の少なくとも１つのノードにおける複数のクライアント機器各々について２つの受信ユニットを有し、
前記２つの受信ユニットは、前記２つの平行なファイバーリングパスの異なるものからの信号を受信することを特徴とする請求項４に記載の光学的ＷＤＭネットワーク。
【請求項１４】
各クライアント機器についての前記２つの受信ユニットは、オンとオフの位置にあるように制御可能であり、前記２つの受信ユニットの１つがオンにあるときには、前記２つの受信ユニットの他方がオフであり、そして、前記２つの受信ユニットの１つがオフにあるときには、前記２つの受信ユニットの他方がオンであることを特徴とする請求項１３に記載の光学的ＷＤＭネットワーク。
【請求項１５】
前記複数のノードの内の少なくとも１つのノードにおける前記受信ユニットの数は、前記波長チャネルの数より少ないことを特徴とする請求項１に記載の光学的ＷＤＭネットワーク。
【請求項１６】
光信号を搬送する少なくとも１つのファイバーリングパスと、
前記少なくとも１つのリングパスに接続され、別個の複数の波長チャネルにおいて夫々、情報を搬送する光信号を送信したり受信したりするために構成された送信側と受信側とを有した複数のノードと、
前記複数のノードに含まれる複数の受信ユニットと、
を有した柔軟な接続のための光学的ＷＤＭネットワークであって、
前記複数のノードの内、少なくとも１つは、
前記複数のノードの内、少なくとも１つのノードの前記複数の受信ユニットに対し、前記複数の波長チャネルの内の選択されたチャネルにおける信号を切り替えるために、前記複数のノードの内、少なくともの１つのノードの前記複数の受信ユニットに接続される選択手段を有し、
前記複数のノードの内、１つのノードの前記複数の受信ユニット各々が前記複数の波長チャネルのいすれか１つの信号を受信するように選択され、
前記選択手段は、互いに対して直列に接続された複数のチューナブルバンドパスフィルタを有し、
複数のチューナブルバンドパスフィルタは、前記複数のノードの内、１つのノードの前記複数の受信ユニットに接続された出力端をもっていることを特徴とする光学的ＷＤＭネットワーク。
【請求項１７】
反対方向に信号を搬送する第１のファイバーリングパスと第２のファイバーリングパスからなる２つの平行なファイバーリングパスをさらに有することを特徴とする請求項１６に記載の光学的ＷＤＭネットワーク。
【請求項１８】
前記複数のノードの内の少なくとも１つのノードはさらに、前記複数のノードの内の少なくとも１つのノードにおける複数のクライアント機器各々について２つの受信ユニットを有し、
前記２つの受信ユニットは、前記２つの平行なファイバーリングパスの異なるものからの信号を受信することを特徴とする請求項１７に記載の光学的ＷＤＭネットワーク。
【請求項１９】
各クライアント機器についての前記２つの受信ユニットは、オンとオフの位置にあるように制御可能であり、前記２つの受信ユニットの１つがオンにあるときには、前記２つの受信ユニットの他方がオフであり、そして、前記２つの受信ユニットの１つがオフにあるときには、前記２つの受信ユニットの他方がオンであることを特徴とする請求項１８に記載の光学的ＷＤＭネットワーク。
【請求項２０】
前記複数のノードの内の少なくとも１つのノードにおける前記受信ユニットの数は、前記波長チャネルの数より少ないことを特徴とする請求項１６に記載の光学的ＷＤＭネットワーク。
【請求項２１】
光信号を搬送する少なくとも１つのファイバーリングパスと、別個の複数の波長チャネルにおいて夫々、情報を搬送する光信号を送信したり受信したりするために構成された送信側と受信側と、前記受信側に少なくとも１つの受信ユニットとを有し、前記少なくとも１つのリングパスに接続可能であり、柔軟な接続を可能にする光学的ＷＤＭネットワークのノードであって、
前記少なくとも１つのファイバーリングパスを伝播する信号電力の一部を取り出す、前記少なくとも１つのリングパスに接続可能な光電力スプリッタと、
前記光電力スプリッタから前記取り出された部分を受信するために接続され、前記取り出された部分に含まれる前記複数の波長チャネルの複数の信号を互いに分離するディマルチプレクサと、
前記ディマルチプレクサからの前記複数の波長チャネルの分離された信号を受信するために接続され、前記少なくとも１つの受信ユニットに接続され、前記複数の波長チャネル全ての内の選択されたチャネルの信号を前記少なくとも１つの受信ユニットに切り替える選択手段とを有することを特徴とするノード。
【請求項２２】
少なくとも２つの受信ユニットをさらに有し、
前記選択手段は前記少なくとも２つの受信ユニットの全てに接続され、前記複数の波長チャネルの内の選択されたチャネルの信号を前記少なくとも２つの受信ユニットに切り替えて、前記少なくとも２つの受信ユニット各々が前記複数の波長チャネルの全ての内のいずれか１つの信号を受信するように選択されることを特徴とする請求項２１に記載のノード。
【請求項２３】
光信号を搬送する少なくとも１つのファイバーリングパスと、別個の複数の波長チャネルにおいて夫々、情報を搬送する光信号を送信したり受信したりするために構成された送信側と受信側と、前記受信側には少なくとも２つの受信ユニットとを有した、前記少なくとも１つのリングパスに接続可能であり、柔軟な接続を可能にする光学的ＷＤＭネットワークのノードであって、
前記少なくとも２つの受信ユニットに接続され、前記少なくとも２つの受信ユニットに対して、前記複数の波長チャネルの内の選択されたチャネルの信号を切り替え、前記少なくとも２つの受信ユニット各々が前記複数の波長チャネルのいすれか１つの信号を受信するように選択する選択手段を有し、
前記選択手段は、互いに対して直列に接続された複数のチューナブルバンドパスフィルタを有し、
前記複数のチューナブルバンドパスフィルタは、前記少なくとも２つの受信ユニットに接続された出力端をもっていることを特徴とするノード。
【発明の詳細な説明】
【技術分野】
【０００１】
関連出願
本願は、２００１年７月１３日に出願されたスウェーデン特許出願第０１０２５２５−３号と、２００１年７月１７日に出願された米国特許仮出願第６０／３０５，６００号の優先権と利益とを主張するものであり、それらの教示内容全てはここで参照により本願に組み込まれる。
【０００２】
技術分野
本発明は柔軟な光学的ＷＤＭリングネットワークと、そのようなネットワークで用いられるアド／ドロップ（add/drop）ノードに関するものである。
【背景技術】
【０００３】
波長分割多重化（ＷＤＭ）は１つの光ファイバーでいくつかの独立な光信号を転送するのに用いられる方法である。ＷＤＭは、その光ファイバーの各端で２つのノードの夫々が接続されるポイント−ツウ−ポイント通信に、或いは、いくつかのノードが１つのファイバー或いは１対のファイバーでの伝送能力を共有するマルチポイント−ツウ−マルチポイント通信に用いられる。マルチポイント−ツウ−マルチポイント通信の場合には、用いられる１つ以上のファイバーは普通、閉ループ、つまりリングを形成し、ファイバーや他の機器の故障の場合のために、１対のノード間に２つの異なる経路をもつようにしている。終端のノードが異なる場所にあるバスネットワークも可能である。そのようなリング或いはバス構成のＷＤＭネットワークにおけるアドドロップ（add-drop）ノードの例が、特許文献１に示されている。
【０００４】
基本的なＷＤＭリングネットワークの図が図１に示されている。２つのリングファイバーにおけるトラフィックは反対方向に向かい、各ファイバーは１方向のみのトラフィックを搬送する。複数のノードにおける波長選択の付加削除を行う（アドドロップ（“add/drop”））光フィルタが備えられて、選択された波長チャネルがリングファイバーから或いはリングファイバーに対して低損失で削除或いは付加されるのを可能にしている。図１において、ノードに対して出入りしている矢は、リングネットワークで転送される情報のペイロード部についてのインタフェースを表わしている。
【０００５】
一般的なネットワークは複数のネットワーク、例えば、種々の構成で互いに対して接続される図１に図示されているような種類のネットワークを有している。そのような一般的なタイプのネットワークにおいて、コアリングにおけるような、ネットワークの階層構造の上位におけるトラフィックパターンは通常、メッシュのようになっている。即ち、各ノードは専用の波長チャネルを介してリングにおけるたいていの他のノードに対する直接的なアクセスがある。エンドユーザにより近いネットワーク階層構造のさらに下位、即ち、アクセスリングでは、トラフィックパターンは通常、ハブのようになっている。即ち、１つの中央にある、或いは主ノードであるハブが専用の波長チャネルを介して、他の各小ノードであるサテライトノードとの直接アクセスをもつ。そのサテライトノードに対しては、それらが互いに直接通信できるために、波長チャネルは割当てられていない。
【０００６】
全てのマルチポイント−ツウ−マルチポイントのＷＤＭネットワークは波長ルーティングを利用している。これは、各波長チャネルの信号が１つのノードから別のノードへと所定の方法でルーティングされることを意味している。単一波長のレーザと固定的な光ディマルチプレクサを用いると、このルーティングは光学的な観点から静的なものである。どんな柔軟性もＷＤＭ領域の外になければならない。それ故に、通信経路が光学的シグナリングを用いて変更可能であるＷＤＭネットワークについての必要性が存在する。
【０００７】
特許文献２は固定接続のための光リングネットワークを開示している。そのノードは、ファイバーリングに接続される特別に設計されたブロードバンド光カップラーをもっている。特許文献３は、リングパスの信号が全ての可能性のあるチャネルに分割され、その内の選択されたものが各チャネルについての１×２スイッチを用いてノードで受信できる光リングネットワークに接続されたノードを開示している。特許文献４に開示されたノードでは、固定チャネルでの受信のみが備えられている。光ネットワークについての複雑なノード構造は特許文献５に開示されている。特許文献６のノード構造は、固定チャネルのみを用いる。
【特許文献１】
欧州特許出願公開公報第０９０５９３６号
【特許文献２】
欧州特許出願公開公報第１０６５８２０号
【特許文献３】
米国特許第５，６１２，８０５号
【特許文献４】
欧州特許出願公開公報第１００９１２０号
【特許文献５】
米国特許第５，７３９，９３５号
【特許文献６】
国際特許出願公開公報ＷＯ９９／６５１６４号
【発明の開示】
【発明が解決しようとする課題】
【０００８】
本発明の目的は、同報信号を受信可能なアド／ドロップノードをもつ光ネットワークを提供することにある。
【０００９】
また本発明の別の目的は、通信経路が光シグナリングを用いて変更可能な光ネットワークを提供することにある。
【課題を解決するための手段】
【００１０】
上述の検討から生じることであるが、ＷＤＭネットワーク内の通信経路を変更可能にして異なるトラフィックパターンについての要求に対して高速にかつ経済的に満足させたいのは一般的にも望まれていることでがあるかもしれない。このために、同報選択ネットワークが用いられる。そのようなネットワークでは、各送信信号がいくつかのノードの受信機により受信される。同報が望ましいなら、即ち、メッセージが同時に送信され複数のノードにおける複数の受信機により受信されるべきであるなら、そのような要求や必要は特別な場合に発生するのであるが、いくつかの受信機がオン状態になり、その同報メッセージが送信される波長チャネルを聴取する。しかしながら、普通は双方向通信は対のノード間でのみ必要とされる。双方向トラフィックの場合、１対の２つのノード間での双方向トラフィックに関し、２つの波長チャネルが用いられ、２つのノードの内の１つにおける送信機が第１のチャネルで送信し、他方のノードの受信機がその同じ第１のチャネルで受信し、その他方のノードの送信機が第２の異なるチャネルで送信し、２つのノードの内の最初の１つの受信機がその第２のチャネルで受信を行う。一般に、このことは、いくつかの可能性のある複数の受信機のただ１対だけがそれらのノード対についてオンとなり、そのノード対の離れた方にあるノードの送信機により送信される波長チャネルで信号を聴取し、それらのノード対の他の受信機はこの波長についてはオフとなり、今考慮している対の考慮中のノード間での双方向通信に要求されるものを除いた波長チャネルについての送信は、そのノードにおける全ての送信機ではオフになることを意味している。
【００１１】
ここで説明することになる同報選択ＷＤＭリングネットワークとそのようなネットワークのためのノードは、受信側のクロスコネクトデバイス或いはチューニング可能な単一チャネルフィルタを有した構成のような選択手段を含み、各ノードで受信されることになる波長チャネルの柔軟な選択を可能にしている。
【００１２】
従って、１つのノードで受信された信号を光学的にディマルチプレキシングした後にクロスコネクトユニット、或いは、そのノードでのパワースプリットとチューナブルバンドフィルタリングにより、そのリングにおける何らかのＷＤＭチャネルが、そのノードで選択され受信される。例えば、全てのノードは同じチャネルでの信号を、例えば、セットアップ或いは再構成の目的で受信できる。そのような同報選択ＷＤＭネットワークの利点には次のものが含まれる。
【００１３】
即ち、
ノードの受信機の数が選択可能なチャネル数より少なくでき、
各送信機は各受信機に達するので、ノードの送信機の数が最小に維持され、
チャネル選択のリモート制御が可能であり、
同報が可能であり、
固定波長（他の波長）チャネルとの共存が可能であり、
ファイバー保護のみ、或いは、ファイバーとＷＤＭ機器保護が可能になる。
【００１４】
本発明の付加的な目的、及び利点については、次の記載で説明するが、一部についてはその記載から明らかであろうし、本発明を実施することにより学ぶことができるかもしれない。本発明の目的と利点とは、添付の請求の範囲で特に指摘した、方法、プロセス、機器化、及び、これらの組み合わせにより具体化されて得られるものである。
【００１５】
本発明の新規な特徴は特に、添付の請求の範囲を用いて説明されているのであるが、上述した特徴などの組織編成と内容とに関する本発明の完全な理解は、添付図面を参照して以下に呈示した非限定的な実施例の詳細な説明から得られるものであり、また、その検討から本発明はより良く認識されるものである。
【発明を実施するための最良の形態】
【００１６】
典型的なＷＤＭリングネットワークの一般的な構成は、図１のブロック図に示されている。光ファイバーの２つの平行リングパス１ａ、１ｂは反対方向に伝播する信号を搬送する。各ファイバーリングにおいて、信号を含む光は、そのパスにおけるトラフィックと呼ばれる。各ファイバーリングにおいて、信号は複数の別個の波長帯或いは波長チャネルにおいて伝送される。そのリングパスにおいて、複数のノード３が接続され、それらのノードはまた、アド／ドロップノード（add/drop）と呼ばれる。そのようなノード各々において、複数のリングパスの内、少なくとも１つのパスにおけるトラフィックから信号がとられたり或いはドロップされたりし、複数のリングパスの内、少なくとも１つのパスにおけるトラフィックに対して信号が備えられたり或いは付加されたりする。２つの平行リングパスが反対方向にトラフィックを搬送し、ノード間での双方向通信を可能にする図示された場合について、冗長性或いは保護が得られる。従って、送信ノードから受信ノードへの伝送に関し、２つのパスが用いられ、第１のパスは複数のファイバーリングの第１のものの一部であり、第２のパスは第２のファイバーリングの一部であり、その第２のパスは第２のパスのために用いられていない第１のリングの一部に対応しているか或いは平行である。通常は、第１と第２のパスの内、ただ１つだけが用いられ、もう１つのものは保護のためだけに用いられ、従って、第１のパスが障害状態にあるときだけ用いられる。
【００１７】
ＷＤＭネットワークは同報選択ネットワークを含むか、或いは通信パスの高速変更を可能にする同報選択フィーチャ或いはモードを含んでいる。同報選択ネットワークにおいて各送信信号はいくつかのノードにおいて受信できる。同報が望まれる場合、双方向トラフィックがノード対だけの間に存在する通常の場合とは異なり、いくつかのノードが聴取する。後者の場合、いくつかの可能性のある複数の受信ノードの内、ただ１つのペアだけが聴取をしており、他のノードの受信機はオフになり、その通信のために用いられる波長チャネルについてのノードにおける全ての送信機もまた、その双方向通信に参与しているペアのものを除き、オフとなる。
【００１８】
同報選択ＷＤＭリングネットワークの第１実施例は図２のブロック図に示されている。２つのリングファイバー、或いは一般にはリング伝送パス１ａ、１ｂは図１にようにノード３を接続する。図２に見られるように、外側のリング１ａはトラフィック、即ち、反時計回りの方向に考慮されている情報を搬送する信号を搬送し、内側のリングファイバー１ｂは時計回りの方向にトラフィックを搬送する。
【００１９】
各ノード３において、ＷＤＭ送信端トランスポンダ（ＴＥＴ）５が備えられる。その出力信号は光学的にマルチプレクサ７において多重化されてファイバーカップラー１１の２つの分岐９ｅ、９ｗへと分かれる前に短ファイバー８へと転送される。分岐９ｅにおけるファイバーカップラー出力の最初のものの信号は、波長選択バンド付加フィルタ１３ｅによる外側のリングファイバー１ａにおけるトラフィックに付加され、分岐９ｗにおける第２のファイバーカップラー出力信号は、類似のバンド付加フィルタ１３ｗにより内側のリングファイバー１ｂにおけるトラフィックに付加される。このようにして、同じ信号が２つのファイバーリング１ａ、１ｂを反対方向に周回する。
【００２０】
波長選択付加フィルタ１３ｅ、１３ｗはＴＥＴ５によりリングファイバー１ａ、１ｂ上へと低損失で発行された波長チャネルの信号を多重化する。波長選択付加フィルタ１３ｅ、１３ｗにより、他の全ての波長チャネルを各リングファイバーにそって低損失で通過させることができ、そして、それらはＴＥＴから発行された付加された波長チャネルの信号の波長と同じ波長の信号が各リングファイバーに沿って付加フィルタを通過するのをブロックする。このようにして、循環する信号はブロックされるのではあるが、これは絶対に必要なことである。
【００２１】
各ノード３には、２つの波長選択ドロップカップラー１５ｗ、１５ｅ、例えば、標準的な光ファイバーカップラーがあり、それらは２つのリングファイバー１ａ、１ｂにおける全信号電力の一部を取り出す。この第１の実施例では、おそらく考慮されるノードにおいて受信されるべきである各ドロップカップラー１５ｗ、１５ｅからの全信号が、光ディマルチプレクサ１７ｗ、１７ｅにおいて個々のチャネルへとディマルチプレクスされる。２つのディマルチプレクサからの信号は、少なくとも２×Ｎ個の入力とＭ個の出力とをもつクロスコネクトユニット１９へと結合される。ここで、Ｎはおそらくはそのノードで受信されねなばらない異なる波長チャネルの数であり、Ｍはそのノードにおける受信端トランスポンダ（ＲＥＴ）２１の数である。Ｍは任意の整数値であるが、Ｍ≧２であることが好ましく、即ち、少なくとも２個の受信機が備えられるのが好ましい。もし、双方向通信だけがそのネットワークで用いられるなら、Ｍはまた、そのノードにおけるＴＥＴ５の数でもある。
【００２２】
このようにして、例えば、ノードＡにおける波長チャネルＮｏ．１のＴＥＴ５からノードＢのＲＥＴ２１への信号が多重化され、リングファイバー１ａ、１ｂにおけるトラフィック上に付加され、ノードＢに至るまで２つのリングファイバー上を反対方向に夫々伝わる。ネットワーク全体で他のＴＥＴが同時に同じ波長で送信することは許されない。ノードＢにおいて、各リングファイバーの全信号電力の一部がドロップカップラー１５ｗ、１５ｅ夫々で取り出され、そこに接続されたディマルチプレクサ１７ｗ、１７ｅにおいてディマルチプレクスされる。クロスコネクトユニット１９がセットされ、それは波長チャネルＮｏ．１の２つの同一な信号ストリームの内、ただ１つだけを適切なＲＥＴ２１に接続する。
【００２３】
光増幅器２２ｗ、２２ｅはリングファイバー１ａ、１ｂに沿って設置され、光損失を克服し、これにより、ネットワークのサイズを大きくしている。
【００２４】
２つの代替的なパス１ａ、１ｂをもち、２つの考慮しているノード間でトラフィックを時計回り方向と反時計回り方向とに搬送する理由は、ファイバー保護を達成するためである。正常な動作状態にあるノードＢのクロスコネクトユニット１９がその図において内側のリングファイバー１ｂに沿って伝播するノードＡからの信号、即ち、最短パスを選択していると仮定しよう。もし、そのパス上でファイバーの破断或いは増幅器の障害があるなら、期待された信号についての電力損失或いは信号劣化がノードＢのＲＥＴ２１で検出され、クロスコネクトユニット１９が制御或いはプログラムされて、そのユニットが外側のファイバー１ａを通っている同じ波長チャネルの信号をノードＢのＲＥＴ２１に接続する。このようにして、トラフィックが回復される。
【００２５】
一般に、クロスコネクトユニット１９がＲＥＴ２１をディマルチプレクスされた信号のいずれかを聴取するために接続することは可能である。このことは、そのクロスコネクトユニットをリモート的に制御することにより、各ＲＥＴ２１がネットワークにおける複数のＴＥＴ５のいずれかを聴取できることを意味している。全てのＴＥＴ５は常に、異なる波長で送信を行う。受信チャネルを変更するとき、クロスコネクトユニット１９はまた“プリ−プログラム（pre-programmed）”されて、通常のパスの障害の場合に、別のファイバーパスの同じチャネルに切り替える準備がなされるべきである。このノード構成については、十分な同報選択機能を、おそらくはそのノードで選択されねばならない各チャネルについての１つのＲＥＴ２１或いはＷＤＭ受信機をもつことなく得ることができる。即ち、そのノード構成により、Ｎ＞Ｍという条件が満たされる場合、即ち、各ノードの受信機よりもそのネットワークで用いられる波長チャネルの数が多いという場合を可能にしている。
【００２６】
中央制御ユニット２４はクロスコネクトユニット１９に接続され、その制御を行う。制御情報をクロスコネクトユニットに送信するネットワークは、完全に分離したデータ制御ネットワーク（ＤＣＮ）でも良いし、或いはリングファイバーパス１ａ、１ｂを通して制御情報を転送する光学的制御チャネルを有していても良い。
【００２７】
ファイバー保護があるため、クロスコネクトユニット１９は、Ｎ個の２×１のファイバー光空間スイッチ２３のアレイで補強されている。図３ａを参照されたい。この図には、送信機２７と受信機２９とを含むクライアント機器２５も見られる。図２にあるように、完全な機能性がこの種のノードで得られねばならないのであれば、この図には見られないが、Ｎ×Ｍクロスコネクトユニットが２×１スイッチ２３とＲＥＴ２１との間に接続されねばならない。ＲＥＴ２１に接続された２×１スイッチ２３はまた、ＲＥＴ３１ｅと３１ｗのＮ個のペアによって置換されても良く、これらのセットのペアは互いに結合され制御されて、その１つが常にオフ状態にあり、もう一方が常にオン状態にある。これに続く、２×１の受動カップラー３２が各クライアント受信機２９の前で接続されている。図３ｂを参照されたい。再び、同報についての完全な機能性が得られねばならないのであれば、この図には見られないが、Ｎ×Ｍクロスコネクトユニットが受動カップラー３２の出力端とＭ個のクライアント受信機２９との間で接続されねばならない。それ故に、図３ａと図３ｂに図示されたノードにおいて何のクロスコネクトユニットを設けることなく、図３ａにあるように、ファイバー／増幅器／ディマルチプレクサの故障に対する、或いは図３ｂにあるように、ファイバー／増幅器／ディマルチプレクサ／ＲＥＴの故障に対する保護を行うことが可能なだけである。
【００２８】
ＴＥＴも二重化された、図４のブロック図による図示されたもののようなノードをもつネットワークにおいては、ファイバーと機器の十分な保護が備えられる。このノード構造では、ノードの出力側にある単一のマルチプレクサ７と単純なカップラー１１とがＭ個の単純なスプリッタ３３で置換される。なお、この図では１つだけが図示され、各単純なスプリッタは各クライアント機器２５の送信機２７からの信号を受信し、スプリットされた信号を２つのＴＥＴ３５ｅ、３５ｗにフィードするのに接続されている。これらのＴＥＴは２つのマルチプレクサ３７ｅ、３７ｗの入力側に接続され、これらマルチプレクサ夫々は各リングファイバーパス１ａ、１ｂのためのものである。マルチプレクサ３７ｅ、３７ｗの出力端は付加フィルタ１３ｅ、１３ｗに接続されている。図４に図示されたノード構造においては、２つのリングファイバーパス１ａ、１ｂから信号を受信する単一のクロスコネクトユニットが２つのクロスコネクトユニット１９ｅ、１９ｗにより置換され、夫々が各ドロップカップラー１５ｅ、１５ｗを通してただ１つのリングファイバーパスからの信号を受信している。クロスコネクトユニットユニットの出力はＲＥＴ３１ｅ、３１ｗに接続され、これらのＲＥＴは図３ｂに図示されたノード構造のような対の構成となっている。ここでは、ただ２Ｍ個のＲＥＴが必要とされる。
【００２９】
図２〜図４に図示されたノード構造において用いられるディマルチプレクサ１７ｗ、１７ｅは、ディマルチプレクスされたチャネルはドロップされるが他の全てのチャネルは継続し、新しい波長チャネルについてのより多くのディマルチプレクス／ドロップフィルタが後で付加できるタイプのもので良い。
【００３０】
全てのディマルチプレクサ出力ポートはクロスコネクトユニット１９、１９ｅ、１９ｗ、或いは類似の動作アセンブリを介してＲＥＴ２１に接続される必要はない。ある波長チャネルは完全にＲＥＴ２１或いはＷＤＭ受信機に直接接続されても良いが、この場合は、これらの図には示されていない。
【００３１】
波長チャネルをリングファイバー１ａ、１ｂにおけるトラフィックに付加するのに用いられる図２〜図４のマルチプレクサとバンド付加フィルタ構成とは、リングファイバー上にあるいくつかの単一チャネル付加フィルタにより置換される。ここで、その付加ポートは直接に１つのＷＤＭ送信機或いはＴＥＴに接続される。従って、図４のノード構造のマルチプレクサ３７ｅ、３７ｗとバンド付加フィルタ１３ｅ、１３ｗとは、各リングファイバーパス１ａ、１ｂにおいて互いに対して直列に接続された単一チャネル付加フィルタ３９ｅ、３９ｗにより置換されても良く、これらの付加フィルタは図５におけるノードの部分ブロック図に見られる付加フィルタに同様に接続される。図２、図３ａ、図３ｂに図示されたノード構造においても、不図示の単純なスプリッティングカップラーが、送信側にも同じ構成をもつために、ＴＥＴ５の出力端に接続されて、それらを２つのリングファイバーパスに接続させるようにしなければならない。図５の部分図において、図４に図示されたようなノードの送信側が見られる。これは、各クライアント送信機２７のために構成された単一のチャネル付加フィルタ３９ｅ、３９ｗと２つの同一なＴＥＴ３５ｅ、３５ｗをもち、ＴＥＴの出力端は、リングファイバーパス１ａ、１ｂにおける各単一チャネル付加フィルタ３９ｅ、３９ｗに接続される。
【００３２】
第２の実施例において、図６を参照されたいが、複数のノードのディマルチプレクサとクロスコネクトユニットとは電力スプリッタとチューナブルバンドパスフィルタにより置換される。
【００３３】
そのようなノードの送信側は、図２〜図５に図示された複数のノードのいずれかと同じでも良い。受信側では、タップカップラー１５ｗ、１５ｅにおいて分岐した信号が、いくつかの、即ち、Ｍ個の出力端をもつ光電力スプリッタ４１ｗ、４１ｅにおいてスプリットされる。これらの電力スプリッタは波長選択性はなく、数多くのカスケード１×２ファイバーカップラーからできていても良いし、或いは導波管を基本としたものでも良いし、或いは他の何らかの適切な設計ものでも良い。スプリッタ４１ｗ、４１ｅの機能は、全ての波長チャネルがその電力スプリッタの各出力アームに存在するが光電力は減少しているというものである。その電力スプリッタの各出力分岐に対して波長チューナブルバンドパスフィルタ４３ｗ、４３ｅが接続され、複数の波長チャネルの内のただ１つだけを低損失で通過させ、他のものはブロックする。適切にそのようなフィルタをチューニングすることにより、リングファイバー上に存在するチャネルのいずれか１つが、考慮しているフィルタに接続されたＲＥＴ３１ｗ、３１ｅにより選択され受信することができる。ＲＥＴは図３ｂと図４とに図示されたノードにおけるようにペアで構成され、各ペアのＲＥＴが同じ波長チャネルを受信し、同じクライアント機器に接続され、一度にはただ１つがオンであるように制御される。
【００３４】
或いは、受信チャネル当たり１つだけのＲＥＴが必要であるが、その場合には、不図示ではあるが、２×１の空間スイッチが、同じ波長とＲＥＴで作用する２つのバンドパスフィルタ４３ｗ、４３ｅの出力端の間に接続され、或いは、２×１の空間スイッチが、不図示ではあるが、単純な２×１の受動ファイバーカップラーにより置換されても良い、後者の場合には、２つのチューナブルバンドパスフィルタの１つが全てのチャネルをブロックするように調整される。
【００３５】
チューナブルバンドパスフィルタ４３ｗ、４３ｅは、例えば、アジャスタブルファブリ−ペロット（Fabry-Perot）エタロン或いは光学サーキュレータと結合したチューナブルファイバー格子とを有しても良い。
【００３６】
電力スプリッタ４１ｗ、４１ｅの出力ポートの数とチューナブルバンドパスフィルタ４３ｗ、４３ｅの数とは同じであるか、或いは、最小可能な量、ノードで必要なＲＥＴ３１ｅ、３１ｗの個数Ｍだけ超えたものであるべきである。
【００３７】
もし、ファイバーとＷＤＭ機器の保護とが図６の実施例において必要とされるなら、この図には描かれていないが、各クライアント機器送信機２７は、図４と図５に図示されているノード構造のように１×２のファイバーカップラー３３を用いることにより同じ波長チャネルで作用する２つのＴＥＴ３５ｅ、３５ｗに接続されるべきである。図６のノード構成において、この図には見られないが、各クライアント受信機２９もまた、図３ｂのファイバーカップラー３２のように、２×１のファイバーカップラーを介して、２つの異なるリングファイバー１ａ、１ｂと同じ選択波長チャネルにおいてトラフィックを聴取している２つのＲＥＴ３１ｗ、３１ｅに接続されるべきである。
【００３８】
チューナブルバンドパスフィルタに続く電力スプリッタの代わりに、各リングタップカップラーの後に直接、チューナブルドロップフィルタを構成することも可能である。そのようなノード構成は図７に示されている。この図で図示されている実施例において、チューナブルドロップフィルタ４５ｗ、４５ｅは、リング伝送パス１ｂ、１ａに接続される各タップカップラー１５ｗ、１５ｅのタップ分岐において直列に接続される。それらは、例えば、光学的サーキュレータ４９ｗ、４９ｅと結合されたチューナブルファイバーブラッグ（Bragg）フィルタ４７ｗ、４７ｅを有していても良い。また、図８に示されているように、リングファイバー伝送パス１ｂ、１ａに直接接続されるチューナブルドロップフィルタ５１ｗ、５１ｅを構成することもできる。そのチューナブルフィルタは互いに直列に接続され、各リングフィルタパス１ａ、１ｂにおけるタップカップラー１５ｅ、１５ｗを置換する。これらのパスは他のノード構造で用いられる。
【００３９】
従って、同報選択ＷＤＭネットワークの２つの主な実施例について説明した。クロスコネクトユニットが光ディマルチプレクシング後の信号を受信する選択手段として作用するノードに備えられるか、或いはその選択手段が電力スプリッティングとチューナブルバンドフィルタリングを実行する要素を含む。これにより、リングにおけるシグナリングのために用いられるいずれかのＷＤＭチャネルが各ノードで選択されて受信がなされる。例えば、全てのノードは、例えば、セットアップや再構成を目的として同じチャネルで信号を受信することができる。
【００４０】
上述の全ての例において、現在の柔軟な接続には用いられないいずれかの波長チャネルは、他の柔軟な接続や標準的な固定ＷＤＭ接続のために用いることができる。
【００４１】
上述の全てのネットワークはメッシュ状のトラフィックパターンをもっている。この通信方式は明らかに、ハブ状の接続をもつネットワークの一部としても用いられる。
【００４２】
ここで説明したネットワークにおいて、ＷＤＭ送信機のレーザは、クライアント機器それ自身の内蔵型ＷＤＭ送信機でも良いし、或いは、そのクライアント機器から光学的に入力される信号を受信する送信端のＷＤＭトランスポンダ（ＴＥＴ）の一部でも良く、そのような送信手段は一般に送信ユニットと呼ばれる。
【００４３】
ここで説明したネットワークにおいて、ＷＤＭ受信機は、クライアント機器それ自身の内蔵型ＷＤＭ受信機でも良いし、或いは、ＷＤＭネットワークからの光信号を受信し、それをそのクライアント機器に光学的に再送信する受信端のＷＤＭトランスポンダ（ＲＥＴ）の一部でも良く、そのような受信手段は一般に受信ユニットと呼ばれる。
【００４４】
ここで説明したクロスコネクトユニットが用いられるネットワークにおいて、そのクロスコネクトユニットは、全てが光学ユニットでも良いし、或いは、入力側で接続される光電受信機と出力側の電気光送信機に備えられた電気スイッチコアを含んでいても良い。これらの受信機は図２〜図４に図示されたノード構造において用いられるＲＥＴを置換することができる。
【００４５】
ここでは本発明の特定の実施例について図示し説明したが、数多くの付加的な利点や、変形や、変更が当業者には容易にできることが理解されるであろう。それ故、本発明はより広い観点からすれば、ここで説明し示した具体的な詳細や、代表的な機器や、図示された例に限定されるものではない。従って、種々の変形が、添付した請求の範囲とその同等物により定義されるような一般的な発明の概念が示す精神或いは範囲からなされるものである。従って、添付された請求の範囲は本発明の真の精神と範囲の中に入るような全ての変形例と変更とを含むように意図されていることを理解すべきである。
【図面の簡単な説明】
【００４６】
【図１】従来例に従い、保護を備えた一般的な光ＷＤＭリングネットワークのブロック図である。
【図２】リング伝送経路とアド／ドロップノードの受信側についての保護を備え、同報が可能な、柔軟性のある光ＷＤＭリングネットワークのブロック図である。
【図３ａ】図２のネットワークで用いられるアド／ドロップノードの変形例を示すブロック図である。
【図３ｂ】図３ａに類似した、アド／ドロップノードのさらに別の変形例を示すブロック図である。
【図４】送信側についても保護を備えた図２のネットワークで用いられるアド／ドロップノードの変形例を示すブロック図である。
【図５】送信側についても保護を備えたアド／ドロップノードのさらに別の変形例を示すブロック図である。
【図６】リング伝送経路とアド／ドロップノードの送受信側とについて保護を備え、同報が可能な、柔軟性のある光ＷＤＭリングネットワークの別の実施例を示すブロック図である。
【図７】図６のネットワークで用いられるアド／ドロップノードの変形例を示すブロック図である。
【図８】図７に類似した、アド／ドロップノードのさらに別の変形例を示すブロック図である。
【図１】
2004535135.tif 000003
【図２】
2004535135.tif 000004
【図３ａ】
2004535135.tif 000005
【図３ｂ】
2004535135.tif 000006
【図４】
2004535135.tif 000007
【図５】
2004535135.tif 000008
【図６】
2004535135.tif 000009
【図７】
2004535135.tif 000010
【図８】
2004535135.tif 000011
【国際公開パンフレット】
2004535135.tif 000012
2004535135.tif 000013
2004535135.tif 000014
2004535135.tif 000015
2004535135.tif 000016
2004535135.tif 000017
2004535135.tif 000018
2004535135.tif 000019
2004535135.tif 000020
2004535135.tif 000021
2004535135.tif 000022
2004535135.tif 000023
2004535135.tif 000024
2004535135.tif 000025
2004535135.tif 000026
2004535135.tif 000027
2004535135.tif 000028
2004535135.tif 000029
2004535135.tif 000030
2004535135.tif 000031
【手続補正書】
【提出日】平成15年10月23日(2003.10.23)
【手続補正１】
【補正対象書類名】特許請求の範囲
【補正対象項目名】全文
【補正方法】変更
【補正の内容】
【特許請求の範囲】
【請求項１】
光信号を搬送する少なくとも１つのファイバーリングパスと、
前記少なくとも１つのリングパスに接続され、別個の複数の波長チャネルにおいて夫々、情報を搬送する光信号を送信したり受信したりするために構成された送信側と受信側とを有した複数のノードと、
前記複数のノードに含まれる複数の受信ユニットと複数の送信ユニットとを有し、
前記複数のノードの内、少なくとも１つのノードは、
前記複数のノードの内、少なくとも１つのノードの前記複数の送信ユニットからの光信号を前記少なくとも１つのファイバーリングパスの前記光信号に付加する、前記ファイバーリングパスに接続された少なくとも１つの付加フィルタと、
前記少なくとも１つのファイバーリングパスを伝播する信号電力の一部を取り出す、前記少なくとも１つのリングパスに接続された光電力スプリッタとを有し、
前記一部は前記複数のノードの内、少なくとも１つのノードに到来する全ての波長チャネルの光信号を含んだ、柔軟な接続のための光学的ＷＤＭネットワークであって、
前記複数のノードの内、少なくとも１つは、
前記複数のノードの内、少なくとも１つのノードにおける前記光電力スプリッタから前記取り出された部分を受信するために接続され、前記取り出された部分に含まれる複数の波長チャネルの複数の信号を互いに分離するディマルチプレクサと、
前記ディマルチプレクサからの前記複数の波長チャネルの分離された信号を受信するために接続され、前記複数のノードの内の少なくとも１つのノードの複数の受信ユニットに接続され、前記複数の波長チャネルの内の選択されたチャネルの信号を前記複数の受信ユニットに切り替えて、前記複数のノードの内の少なくとも１つのノードの複数の受信ユニット各々が前記複数の波長チャネルの全ての内のいずれか１つの信号を受信するために選択される選択部とを有することを特徴とする光学的ＷＤＭネットワーク。
【請求項２】
前記付加フィルタは、バンド付加フィルタであることを特徴とする請求項１に記載の光学的ＷＤＭネットワーク。
【請求項３】
前記付加フィルタは、少なくとも２つの隣接する波長チャネルの光信号を付加するバンド付加フィルタであることを特徴とする請求項２に記載の光学的ＷＤＭネットワーク。
【請求項４】
前記選択部は、光学的クロスコネクトユニットを有することを特徴とする請求項１に記載の光学的ＷＤＭネットワーク。
【請求項５】
前記複数のノード各々は反対方向に信号を搬送する２つの平行なファイバーリングパスに接続され、
前記複数のノードの内の少なくとも１つのノードは２つのディマルチプレクサを有し、
１つのディマルチプレクサは、前記２つの平行なファイバーリングパスの夫々に対するものであり、
前記複数のノードの内の少なくとも１つのノードの前記選択部は、前記２つのディマルチプレクサからの信号を受信するのに接続された単一の光学的クロスコネクトユニットを有していることを特徴とする請求項１に記載の光学的ＷＤＭネットワーク。
【請求項６】
反対方向に信号を搬送する第１のファイバーリングパスと第２のファイバーリングパスからなる２つの平行なファイバーリングパスをさらに有することを特徴とする請求項１に記載の光学的ＷＤＭネットワーク。
【請求項７】
前記複数のノードの内の少なくとも１つのノードはさらに、
２つの平行なファイバーリングパスにおいて接続される複数の光電力スプリッタと、
前記複数の光電力スプリッタから前記取り出された部分を受信するために接続されたディマルチプレクサとを有し、
第１のファイバーリングパスには前記複数の光電力スプリッタの内の１つが接続され、第２のファイバーリングパスには前記複数の光電力スプリッタの内の別のものが接続され、前記複数の光電力スプリッタ各々は前記２つの平行なファイバーリングパス夫々において伝播する信号電力の一部を取り出し、
前記ディマルチプレクサは前記取り出された部分からなる複数の波長チャネルの信号を互いに分離して、前記選択部に前記分離信号を提供することを特徴とする請求項６に記載の光学的ＷＤＭネットワーク。
【請求項８】
前記選択部は、前記ディマルチプレクサからの分離信号を受信するために接続された単一の光学的クロスコネクトユニットを有することを特徴とする請求項７に記載の光学的ＷＤＭネットワーク。
【請求項９】
前記複数のノードの内の少なくとも１つのノードはさらに、前記ディマルチプレクサからの信号を受信するために接続された複数の光スイッチを有し、
前記複数の光スイッチ各々の第１の入力端は、前記第１のファイバーリングパスから来る信号を受信するために接続され、
前記複数の光スイッチ各々の第２の入力端は、前記第２のファイバーリングパスから来る信号を受信するために接続され、
前記複数の光スイッチ各々は、前記２つの入力端の内の１つからの信号を、前記複数のノードの内の少なくとも１つのノードの前記複数の受信ユニットの１つに接続された単一の出力端に転送することを特徴とする請求項７に記載の光学的ＷＤＭネットワーク。
【請求項１０】
前記複数のノードの内の少なくとも１つのノードの前記複数の受信ユニットの内の少なくとも１つはさらに、前記ディマルチプレクサからの信号を受信するために接続された２つの受信機要素を有し、
第１の受信機要素は前記第１のファイバーリングパスから来る信号を受信するために接続され、
第２の受信機要素は前記第２のファイバーリングパスから来る信号を受信するために接続され、
前記複数の受信ユニットの内の少なくとも１つの前記受信機要素は互いに接続されて、前記２つの受信機要素の内の１つだけが一度にアクティブであり、前記ディマルチプレクサからの信号を受信することを特徴とする請求項７に記載の光学的ＷＤＭネットワーク。
【請求項１１】
前記複数のノードの内の少なくとも１つのノードの前記選択部は、光電力スプリッタと、複数のチューニング可能なバンドパスフィルタとを有し、
前記光電力スプリッタは入力信号電力を数多くの実質的に等しい小部分に分け、
各部分が、前記複数のノードの内の少なくとも１つのノードの前記複数の受信ユニットに接続された複数の出力端をもつ前記複数のチューニング可能なバンドパスフィルタの１つにフィードされることを特徴とする請求項１に記載の光学的ＷＤＭネットワーク。
【請求項１２】
前記複数のノードの内の少なくとも１つのノードの前記選択部は、互いに直列接続された複数のチューニング可能なバンドパスフィルタを有し、
前記複数のチューニング可能なバンドパスフィルタは、前記複数のノードの内の少なくとも１つのノードの前記複数の受信ユニットに接続された複数の出力端をもつことを特徴とする請求項１に記載の光学的ＷＤＭネットワーク。
【請求項１３】
前記複数のノードの内の少なくとも１つのノードは前記複数のノードの内の少なくとも１つのノードの前記光電力スプリッタの出力端から伸長した光ファイバーラインを有し、
前記複数のチューニング可能なバンドパスフィルタは、前記光ファイバーラインにおいて互いに直列に接続されることを特徴とする請求項１２に記載の光学的ＷＤＭネットワーク。
【請求項１４】
前記複数のチューニング可能なバンドパスフィルタは、前記少なくとも１つのファイバーリングパスにおいて接続されることを特徴とする請求項１２に記載の光学的ＷＤＭネットワーク。
【請求項１５】
前記複数のノードの内の少なくとも１つのノードはさらに、前記複数のノードの内の少なくとも１つのノードにおける複数のクライアント機器各々について２つの受信ユニットを有し、
前記２つの受信ユニットは、前記２つの平行なファイバーリングパスの異なるものからの信号を受信することを特徴とする請求項６に記載の光学的ＷＤＭネットワーク。
【請求項１６】
各クライアント機器についての前記２つの受信ユニットは、オンとオフの位置にあるように制御可能であり、前記２つの受信ユニットの１つがオンにあるときには、前記２つの受信ユニットの他方がオフであり、そして、前記２つの受信ユニットの１つがオフにあるときには、前記２つの受信ユニットの他方がオンであることを特徴とする請求項１５に記載の光学的ＷＤＭネットワーク。
【請求項１７】
前記複数のノードの内の少なくとも１つのノードにおける前記受信ユニットの数は、前記波長チャネルの数より少ないことを特徴とする請求項１に記載の光学的ＷＤＭネットワーク。
【請求項１８】
光信号を搬送する少なくとも１つのファイバーリングパスと、
前記少なくとも１つのリングパスに接続され、別個の複数の波長チャネルにおいて夫々、情報を搬送する光信号を送信したり受信したりするために構成された送信側と受信側とを有した複数のノードと、
前記複数のノードに含まれる複数の受信ユニットと、
を有した柔軟な接続のための光学的ＷＤＭネットワークであって、
前記複数のノードの内、少なくとも１つは、
前記複数のノードの内、少なくとも１つのノードの前記複数の受信ユニットに対し、前記複数の波長チャネルの内の選択されたチャネルにおける信号を切り替えるために、前記複数のノードの内、少なくともの１つのノードの前記複数の受信ユニットに接続される選択部を有し、
前記複数のノードの内、１つのノードの前記複数の受信ユニット各々が前記複数の波長チャネルのいすれか１つの信号を受信するように選択され、
前記選択部は、互いに対して直列に接続された複数のチューナブルバンドパスフィルタを有し、
複数のチューナブルバンドパスフィルタは、前記複数のノードの内、１つのノードの前記複数の受信ユニットに接続された出力端をもっていることを特徴とする光学的ＷＤＭネットワーク。
【請求項１９】
反対方向に信号を搬送する第１のファイバーリングパスと第２のファイバーリングパスからなる２つの平行なファイバーリングパスをさらに有することを特徴とする請求項１８に記載の光学的ＷＤＭネットワーク。
【請求項２０】
前記複数のノードの内の少なくとも１つのノードはさらに、前記複数のノードの内の少なくとも１つのノードにおける複数のクライアント機器各々について２つの受信ユニットを有し、
前記２つの受信ユニットは、前記２つの平行なファイバーリングパスの異なるものからの信号を受信することを特徴とする請求項１９に記載の光学的ＷＤＭネットワーク。
【請求項２１】
各クライアント機器についての前記２つの受信ユニットは、オンとオフの位置にあるように制御可能であり、前記２つの受信ユニットの１つがオンにあるときには、前記２つの受信ユニットの他方がオフであり、そして、前記２つの受信ユニットの１つがオフにあるときには、前記２つの受信ユニットの他方がオンであることを特徴とする請求項２０に記載の光学的ＷＤＭネットワーク。
【請求項２２】
前記複数のノードの内の少なくとも１つのノードにおける前記受信ユニットの数は、前記波長チャネルの数より少ないことを特徴とする請求項１８に記載の光学的ＷＤＭネットワーク。
【請求項２３】
光信号を搬送する少なくとも１つのファイバーリングパスと、別個の複数の波長チャネルにおいて夫々、情報を搬送する光信号を送信したり受信したりするために構成された送信側と受信側と、前記送信側に少なくとも１つの送信ユニットと、前記受信側に少なくとも１つの受信ユニットとを有し、前記少なくとも１つのリングパスに接続可能である柔軟な接続を可能にする光学的ＷＤＭネットワークのノードであって、
前記ノードはさらに、
前記ノードが前記光学的ＷＤＭネットワークに接続されるとき、前記少なくとも１つの送信ユニットからの光信号を前記ファイバーリングパスの光信号に付加する、前記少なくとも１つのファイバーリングパスに接続可能な少なくとも１つの付加フィルタと、
前記少なくとも１つのファイバーリングパスを伝播する信号電力の一部を取り出す、前記少なくとも１つのリングパスに接続可能な光電力スプリッタとを有し、
前記取り出された一部は、前記光学的ＷＤＭネットワークに接続されたとき、前記ノードに到来する全ての波長チャネルの光信号を含む、ノードであって、
前記光電力スプリッタから前記取り出された部分を受信するために接続され、前記取り出された部分に含まれる前記複数の波長チャネルの複数の信号を互いに分離するディマルチプレクサと、
前記ディマルチプレクサからの前記複数の波長チャネルの分離された信号を受信するために接続され、前記少なくとも１つの受信ユニットに接続され、前記複数の波長チャネル全ての内の選択されたチャネルの信号を前記少なくとも１つの受信ユニットに切り替える選択部とを有することを特徴とするノード。
【請求項２４】
前記付加フィルタは、バンド付加フィルタであることを特徴とする請求項２３に記載のノード
【請求項２５】
前記付加フィルタは、少なくとも２つの隣接する波長チャネルの光信号を付加するバンド付加フィルタであることを特徴とする請求項２４に記載のノード。
【請求項２６】
少なくとも２つの受信ユニットをさらに有し、
前記選択部は前記少なくとも２つの受信ユニットの全てに接続され、前記複数の波長チャネルの内の選択されたチャネルの信号を前記少なくとも２つの受信ユニットに切り替えて、前記少なくとも２つの受信ユニット各々が前記複数の波長チャネルの全ての内のいずれか１つの信号を受信するように選択されることを特徴とする請求項２３に記載のノード。
【請求項２７】
光信号を搬送する少なくとも１つのファイバーリングパスと、別個の複数の波長チャネルにおいて夫々、情報を搬送する光信号を送信したり受信したりするために構成された送信側と受信側と、前記受信側には少なくとも２つの受信ユニットとを有した、前記少なくとも１つのリングパスに接続可能であり、柔軟な接続を可能にする光学的ＷＤＭネットワークのノードであって、
前記少なくとも２つの受信ユニットに接続され、前記少なくとも２つの受信ユニットに対して、前記複数の波長チャネルの内の選択されたチャネルの信号を切り替え、前記少なくとも２つの受信ユニット各々が前記複数の波長チャネルのいすれか１つの信号を受信するように選択する選択部を有し、
前記選択部は、互いに対して直列に接続された複数のチューナブルバンドパスフィルタを有し、
前記複数のチューナブルバンドパスフィルタは、前記少なくとも２つの受信ユニットに接続された出力端をもっていることを特徴とするノード。
【国際調査報告】
2004535135.tif 000032
2004535135.tif 000033
2004535135.tif 000034